(57)【要約】      （修正有）【課題】使用者がペットの身体から抜け落ちた毛を簡単に効果的に処理可能になり、毛が人々の居住環境に散らばらないようにするペット集毛機を提供する。【解決手段】ペット集毛機１０は、底面１１１を有し、底面１１１に対して側面構造１１２が設けられて収容溝１１３が形成され、且つ収容溝１１３の上部に対して開口部１１５が形成される本体１１と、収容溝１１３中に固設される少なくとも１つの支持部材１２と、支持部材１２に設置され、支持部材１２により収容溝１１３中に固定され、収容溝１１３を第一スロット１１３１と第二スロット１１３２とに区分けし、且つ第一スロット１１３１と第二スロット１１３２との間には通気部１１４を有するプレート１３と、底面１１１に設置され、排気を行うために用いられ、且つフィルターを含む排気装置１４と、を備える。これにより、ペットが第一スロット１１３１に入った後、ペットの身体から抜け落ちた毛が排気装置１４により吸われて集められる。【選択図】図１
0003220945.tif 000002
【実用新案登録請求の範囲】
【請求項１】
底面を有し、前記底面に対して側面構造が設けられて収容溝が形成され、且つ前記収容溝の上部に対して開口部が形成される本体と、
前記収容溝中に固設される少なくとも１つの支持部材と、
前記支持部材に設置され、前記支持部材により前記収容溝中に固定され、前記収容溝を第一スロットと第二スロットとに区分けし、且つ前記第一スロットと前記第二スロットとの間には通気部を有するプレートと、
前記底面に設置され、排気を行うために用いられ、且つフィルターを含む排気装置と、を備えることを特徴とするペット集毛機。
【請求項２】
前記プレートの面積は前記底面より小さく、前記通気部は前記プレートと前記側面構造との間にギャップを発生させるために用いられることを特徴とする請求項１に記載のペット集毛機。
【請求項３】
前記通気部は前記プレートの孔部に開設されることを特徴とする請求項１に記載のペット集毛機。
【請求項４】
前記支持部材は前記底面に固設されることを特徴とする請求項１に記載のペット集毛機。
【請求項５】
前記支持部材は前記側面構造に固設されることを特徴とする請求項１に記載のペット集毛機。
【請求項６】
前記支持部材には磁性体が嵌設され、前記プレートには前記支持部材に結合される位置に対応磁性体が設置されることを特徴とする請求項１、４、または５に記載のペット集毛機。
【請求項７】
上蓋が更に設置され、前記上蓋は前記本体の上端に設置されて前記開口部に蓋をし、前記本体の上端には凹部が更に設けられ、前記上蓋が前記本体に結合されるように設置されると、使用者が前記凹部を利用して前記プレートを取り出せるようになり、且つ前記側面構造には出入口が更に設けられ、ペットが前記出入口から出入り可能となることを特徴とする請求項１に記載のペット集毛機。
【請求項８】
前記プレートの表面にはフランネル層が設けられることを特徴とする請求項１、２、または７に記載のペット集毛機。
【請求項９】
前記本体にはセンサーモジュールが設置され、且つ前記センサーモジュールは前記排気装置に電気的に接続され、これによりペットの前記本体への出入りが検知され、前記センサーモジュールがペットの前記本体への進入を検知させると、前記排気装置が作動されるか、反対に前記排気装置が停止されることを特徴とする請求項１に記載のペット集毛機。
【請求項１０】
前記本体の外部には前記排気装置に電気的に接続される手動スイッチモジュールが設置され、使用者が前記手動スイッチモジュールを利用して前記排気装置の起動と終了を制御可能になることを特徴とする請求項１または９に記載のペット集毛機。
【考案の詳細な説明】
【技術分野】
【０００１】
本考案は、ペット用品の構造に関し、より詳しくは、ペットの毛を容易に集めて処理可能なペット集毛機に関する。
【背景技術】
【０００２】
近年社会構造の変化により、現代人の生活リズムがせわしなくなり、仕事上のストレスも増えているため、ペットを飼って心の癒やしを求める人が増えている。中でも猫と犬が特に多い。しかしながら、ペットを飼う場合、前記ペットの身体を清潔に保ち、皮膚病に感染したり寄生虫がつかないように気をつけねばならない。このため、常にブラッシングをして毛を乾いた常態に保ち、細菌や黴の繁殖を防ぐ必要がある。
【考案の概要】
【考案が解決しようとする課題】
【０００３】
しかしながら、ペットの毛が抜けるのは正常な生理現象である。猫を例にすれば、出生から数カ月後には産毛が抜けて生え変わり始め、或いは季節の変わり目にも抜け毛が増え、ある品種の猫では規則的に毛が抜けて生え変わり、前記季節の気候や気温に適応させている。よって、毛が生え変わる時期に猫の毛が抜けやすくなり、その量も増える。但し、自然な生理的な脱毛や生え変わり以外にも、細菌に感染したり、ダニが寄生する等による病理的な脱毛もある。
【０００４】
また、ペットは人々の居住環境中で行動するため、抜け落ちた毛が地面、衣類、布団、カーペット等に付くことがよくある。抜けた毛が長い場合、飼い主は箒や掃除機を使って掃除するか、粘着テープ等の粘着性を有する清掃用具を使用して毛を取るしかなく、飼い主にとってはその掃除が困難で骨の折れる作業であった。また、掃除範囲に細い抜け毛がある場合、人の目では見つけにくく、それが空中に浮いている時間も長いため、人が吸い込むとアレルギーやくしゃみを引き起こし、肺の健康に影響を与えることもあった。
【０００５】
そこで、本考案者は上記の欠点が改善可能と考え、鋭意検討を重ねた結果、合理的設計で上記の課題を効果的に改善する本考案のペット集毛機の提案に到った。
【０００６】
本考案はこうした状況に鑑みてなされたものであり、その目的は、ペット集毛機を提供することにある。つまり、ペットを内部に進入させ、排気装置によりペットの身体から抜け落ちた毛を吸い取って集め、使用者がペットの身体から抜け落ちた毛を簡単に効果的に処理可能にすることで、抜け落ちた毛が人々の的居住環境に散らばって身体に不調をきたさないようにする。
【課題を解決するための手段】
【０００７】
上記課題を解決するために、本考案のある態様のペット集毛機は、
底面を有し、前記底面に対して側面構造が設けられて収容溝が形成され、且つ前記収容溝の上部に対して開口部が形成される本体と、
前記収容溝中に固設される少なくとも１つの支持部材と、
前記支持部材に設置され、前記支持部材により前記収容溝中に固定され、前記収容溝を第一スロットと第二スロットとに区分けし、且つ前記第一スロットと前記第二スロットとの間には通気部を有するプレートと、
前記底面に設置され、排気を行うために用いられ、且つフィルターを含む排気装置と、を備える。
【０００８】
本考案に係るペット集毛機において、前記プレートの面積は前記底面より小さく、前記通気部は前記プレートと前記側面構造との間にギャップを発生させるために用いられる。
【０００９】
本考案に係るペット集毛機において、前記通気部は前記プレートの孔部に開設される。
【００１０】
本考案に係るペット集毛機において、前記支持部材は前記底面に固設される。
【００１１】
本考案に係るペット集毛機において、前記支持部材は前記側面構造に固設される。
【００１２】
本考案に係るペット集毛機において、前記支持部材には磁性体が嵌設され、前記プレートには前記支持部材に結合される位置に対応磁性体が設置される。
【００１３】
本考案に係るペット集毛機において、上蓋が更に設置され、前記上蓋は前記本体の上端に設置されて前記開口部に蓋をし、前記本体の上端には凹部が更に設けられる。前記上蓋が前記本体に結合されるように設置されると、使用者が前記凹部を利用して前記プレートを取り出せるようになる。前記側面構造には出入口が更に設けられ、ペットが前記出入口から出入り可能となる。
【００１４】
本考案に係るペット集毛機において、上述のペット集毛機は、前記プレートの表面にはフランネル層が設けられる。
【００１５】
本考案に係るペット集毛機において、前記本体にはセンサーモジュールが設置され、且つ前記センサーモジュールは前記排気装置に電気的に接続される。これによりペットの前記本体への出入りが検知される。前記センサーモジュールがペットの前記本体への進入を検知させると、前記排気装置が作動されるか、反対に前記排気装置が停止される。
【００１６】
本考案に係るペット集毛機において、前記本体の外部には前記排気装置に電気的に接続される手動スイッチモジュールが設置され、使用者が前記手動スイッチモジュールを利用して前記排気装置の起動と終了を制御可能になる。
【図面の簡単な説明】
【００１７】
【図１】本考案の一実施形態に係るペット集毛機を示す傾斜の概略図である。
【図２】本考案の他の実施形態に係るペット集毛機を示す傾斜の概略図である。
【図３】図２に示す上面の概略図である。
【図４】本考案のさらなる他の実施形態に係るペット集毛機を示す傾斜の概略図である。
【図５】本考案の一実施形態に係るペット集毛機を示す一部の分解の概略図である。
【図６】図４のＡ−Ａ線に沿う断面図である。
【図７】図４に示す上面の概略図である。
【図８】本考案のペット集毛機の実施形態を示す図である。
【考案を実施するための形態】
【００１８】
以下、本考案の実施の形態について、図面を参照して詳細に説明する。なお、本考案は以下の例に限定されるものではなく、本考案の要旨を逸脱しない範囲で、任意に変更可能であることは言うまでもない。また、図面及び実施形態において、図面の同じまたは相似する符号は全ての図面において同じ、実質的に同じ、或いは機能が同じ部材及び素子を指す。図面は簡略化されて描かれ、且つ全ての実施形態において、図面は精確なサイズで描写されているわけではない。
【００１９】
まず、図１乃至図３に示されるように、本考案のペット集毛機１０は、底面１１１を有し、前記底面１１１に対して側面構造１１２が設けられて収容溝１１３が形成され、前記収容溝１１３の上部に対して開口部１１５が形成され、ペットを前記開口部１１５から出入り可能にする本体１１と、前記収容溝１１３中に固設される少なくとも１つの支持部材１２と、前記支持部材１２に設置され、前記支持部材１２により前記収容溝１１３中に結合され、前記収容溝１１３を第一スロット１１３１と第二スロット１１３２とに区分けし、且つ前記第一スロット１１３１と前記第二スロット１１３２との間には通気部１１４を有するプレート１３と、前記底面１１１に設置され、排気を行うために用いられ、且つフィルター１４１を含む排気装置１４と、を備える（図６参照）。
【００２０】
本実施例では、前記本体１１の形状はほぼ正六面体を呈し、前記側面構造１１２は前記正六面体の４つの側面であり、前記第一スロット１１３１は前記ペットの活動空間である。前記ペットが前記第一スロット１１３１に進入した後、前記排気装置１４により前記ペットの身体から抜け落ちた毛が吸い取られる。前記プレート１３及び前記支持部材１２は取り外し可能に結合され、使用者が前記プレート１３を前記本体１１の上方の開口部１１５から簡単に取り出して前記プレート１３上に落ちた毛を洗ったり前記プレート１３を交換できるようにする。また、前記側面構造１１２は透明であり、前記本体１１内の前記ペットの様子を観察できるようにする。なお、前記本体１１の高さが低い場合、前記ペットは前記開口部１１５から前記第一スロット１１３１に直接進入可能になる。但し、前記本体１１の高さが高い場合、前記側面構造１１２に出入口１１２１が設けられ、前記ペットが前記出入口１１２１から前記第一スロット１１３１に進入可能になる。
【００２１】
しかしながら、前記通気部１１４には異なる実施方式が存在する。一実施態様では、図１乃至図３に示されるように、前記通気部１１４が前記プレート１３の孔部１１４ａに開設される。他の実施態様では、図４乃至図７に示されるように、前記プレート１３の面積が前記底面１１１より小さく、前記通気部１１４は前記プレート１３と前記側面構造１１２との間にギャップ１１４ｂを発生させるために用いられる。前記排気装置１４が前記フィルター１４１を有し、空気を回動させることにより吸引力を発生させるため、上述の方式では全て前記排気装置１４が前記孔部１１４ａまたは前記ギャップ１１４ｂ形式の通気部１１４により前記ペットの毛を吸い取り、前記ペットの身体から抜け落ちて他の毛を覆っていたり付着している毛が完全に身体から離されて前記排気装置１４のフィルター１４１に集められる。使用者は掃除機で前記フィルター１４１に集まった毛を吸い取るだけでよく、極めて簡単に掃除できる。
【００２２】
また、前記収容溝１１３は前記プレート１３により第一スロット１１３１と第二スロット１１３２とに区分けされるため、前記収容溝１１３中に設置される前記支持部材１２が前記底面１１１に固設され（例えば、前記支持部材１２が前記底面１１１の四隅に設置される）、或いは前記側面構造１１２に固設され、前記プレート１３が前記支持部材１２により前記収容溝１１３中に設置される。しかしながら、前記プレート１３を前記支持部材１２に安定的に結合させるために前記支持部材１２には磁性体１２１が嵌設され、前記プレート１３は前記支持部材１２に結合される位置に対応磁性体１３１が設置され、前記プレート１３及び前記支持部材１２が磁力により吸着されて安定的に結合されて揺れ動かなくなる。
【００２３】
さらに、図８に示されるように、本考案には上蓋１５が更に設置され、且つ前記上蓋１５が前記本体１１の上端に設置され、本考案に椅子が形成されて人が座れるようになり、多機能性を達成させる。前記上蓋１５と前記本体１１とが結合される際に前記開口部１１５に蓋がされるため、前記本体１１の上端に凹部１１６が更に設けられる。前記上蓋１５が前記本体１１に結合されるように設置されると、使用者が前記凹部１１６を利用して前記プレート１３を取り出せるようになる。前記側面構造１１２に出入口１１２１が更に設けられ、前記ペットが前記出入口１１２１から出入り可能になる。また、好ましくは、前記プレート１３の表面にフランネル層１３２が設けられ、寒い日には前記ペットが前記フランネル層１３２に寝転がって暖まることができ、暑い日には前記プレート１３のもう一方の表面に寝転がって涼むことができる。この設計により２つの効果を達成させる。
【００２４】
最後に、本考案にはセンサーモジュール１６及び／または手動スイッチモジュール（図示省略）が設置される。前記センサーモジュール１６は前記本体１１に設置される赤外線センサーを備え、特に図１乃至図７に示されるように、すなわち、前記センサーモジュール１６が前記本体１１内部にある何れか１つの側面構造１１２に設置され、且つ前記センサーモジュール１６が前記排気装置１４に電気的に接続され、前記本体１１への前記ペットの出入りを検知させる。前記センサーモジュール１６が前記本体１１への前記ペットの進入を検知させると前記排気装置１４が作動されるか、反対に前記排気装置１４が停止される。前記手動スイッチモジュールは前記本体１１の外部に設置され、且つ前記手動スイッチモジュールは前記排気装置１４に電気的に接続され、使用者が前記手動スイッチモジュールを利用して前記排気装置１４の起動と停止を制御可能になる。
【００２５】
よって、本考案はペット集毛機を確実に提供し、ペットが内部に進入した際にペットの身体から抜け落ちた毛が排気装置により吸い取られて集められる。これにより、使用者はペットの身体から抜け落ちた毛を簡単且つ便利に処理可能になり、抜け落ちた毛が人々の居住環境中に散らばって身体に不調をきたさないようになる。また、本考案の構造設計によりペットを長時間安定的にその中に入れておくことができ、抜け落ちた毛を集めて処理する最良の効果を達成させる。
【００２６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２７】
１０  ペット集毛機
１１  本体
１１１  底面
１１２  側面構造
１１２１  出入口
１１３  収容溝
１１３１  第一スロット
１１３２  第二スロット
１１４  通気部
１１４ａ  孔部
１１４ｂ  ギャップ
１１５  開口部
１１６  凹部
１２  支持部材
１２１  磁性体
１３  プレート
１３１  対応磁性体
１３２  フランネル層
１４  排気装置
１４１  フィルター
１５  上蓋
１６  センサーモジュール
【図１】
0003220945.tif 000003
【図２】
0003220945.tif 000004
【図３】
0003220945.tif 000005
【図４】
0003220945.tif 000006
【図５】
0003220945.tif 000007
【図６】
0003220945.tif 000008
【図７】
0003220945.tif 000009
【図８】
0003220945.tif 000010